(57)【要約】【課題】入力映像信号が映像用フォーマット、通信系ハイアラーキの伝送フォーマットのどちらでも波形整形して出力できるようにする。【解決手段】  分配器１４１によって２系統に分配された入力信号を、一方はセレクタ１４２に、他方は通信用ＣＤＲ１４３に入力する。通信用ＣＤＲ１４３は、入力映像信号が通信系フォーマットのときは波形整形すると共にロック信号を生成し、それ以外のときは非ロック信号を生成する。セレクタ１４２は、ロック信号生成時には、通信用ＣＤＲ１４３からの通信系フォーマットの映像信号を、非ロック信号生成時には分配器１４１の映像信号を選択して映像用ＣＤＲ１４４に出力する。映像用ＣＤＲ１４４は、ロック／非ロック信号から入力映像信号が通信系フォーマットか映像用フォーマットかを判別し、ロック信号入力時にはそのままバイパス出力し、非ロック信号入力時には波形整形して出力する。【選択図】      図２
2005277465.tif 000002
【特許請求の範囲】
【請求項１】
複数チャネルの映像信号を入力するための入力部と、
前記入力部で入力される複数チャネルの映像信号を複数チャネルのうちの任意のチャネルに切り替える切替部と、
前記切替部で切り替えられる各チャネルの映像信号をそれぞれチャネル毎に波形整形して出力する出力部とを具備し、
前記出力部の各チャネル系列は、
前記切替部から入力される映像信号を少なくとも２系統に分配する分配器と、
前記分配器の一方の出力信号を入力して通信系フォーマットの映像信号であるか否かを検知し、通信系フォーマットのときは入力映像信号を波形整形して通信系映像信号として出力すると共に、この信号を選択させるためのロック信号を生成し、通信系フォーマットでないときは非ロック信号を生成する通信用再生器と、
前記分配器の他方の出力信号と前記通信用再生器の出力信号とを取り込み、前記通信用再生器でロック信号が生成されているときは当該出力信号である通信系映像信号を選択出力し、非ロック信号が生成されているときは、前記分配器からの他方の出力信号を映像用フォーマットの映像信号として選択出力するセレクタと、
前記ロック信号が生成されているときは、前記セレクタから出力される通信系映像信号をそのまま通過させ、前記非ロック信号が生成されているとき、前記セレクタから出力される映像用フォーマットの映像信号を波形整形して出力する映像用再生器とを備えることを特徴とする映像分配装置。
【請求項２】
複数チャネルの映像信号を入力するための入力部と、
前記入力部で入力される複数チャネルの映像信号を複数チャネルのうちの任意のチャネルに切り替える切替部と、
前記切替部で切り替えられる各チャネルの映像信号をそれぞれチャネル毎に波形整形して出力する出力部とを具備し、
前記出力部の各チャネル系列は、
前記切替部から入力される映像信号を少なくとも２系統に分配する分配器と、
前記分配器の一方の出力信号を入力して映像用フォーマットの映像信号であるか否かを検知し、映像用フォーマットのときは入力映像信号を波形整形して映像用フォーマットの映像信号として出力すると共に、この信号を選択させるためのロック信号を生成し、映像用フォーマットでないときは非ロック信号を生成する映像用再生器と、
前記分配器の他方の出力信号と前記映像用再生器の出力信号とを取り込み、前記映像用再生器でロック信号が生成されているときは当該出力信号である映像用フォーマットの映像信号を選択出力し、非ロック信号が生成されているときは、前記分配器からの他方の出力信号を通信系映像信号として選択出力するセレクタと、
前記ロック信号が生成されているときは、前記セレクタから出力される映像用フォーマットの映像信号をそのまま通過させ、前記非ロック信号が生成されているとき、前記セレクタから出力される通信系映像信号を波形整形して出力する通信系再生器とを備えることを特徴とする映像分配装置。
【発明の詳細な説明】
【技術分野】
【０００１】
本発明は、例えば放送局内等で使用される映像分配装置に関する。
【背景技術】
【０００２】
現在、放送局内の映像分配装置は、多チャネルの映像信号を入力するための入力部、入力された映像信号のチャネル出力先を切り替える切替部及び切替チャネルへ信号を出力する出力部を備えている。出力部では、入力映像信号からクロック信号を抽出し、そのクロック信号により出力信号の波形整形を行っている。クロック信号抽出には、所定の映像用フォーマットに対応した回路が使用されている。
【０００３】
ところで、近年では、ギガビットイーサネット、ＦＴＴＨ（Fiber To The Home）等のネットワークにより、映像信号が通信系ハイアラーキの伝送フォーマットで伝送されるようになってきている。このため、放送局にあっても、通信系ハイアラーキで伝送される映像信号を素材として利用することが考えられている。
【０００４】
しかしながら、従来の映像分配装置では、その出力部において、クロック信号抽出が映像信号フォーマットのみに対応し、通信系ハイアラーキの伝送フォーマットには対応していない。このため、クロック抽出ができず、分配出力時の波形整形ができない。映像品質を重視する放送局では、波形整形がなされないまま伝送することは許容されていない。
【０００５】
尚、従来の映像信号多重・分離装置として、下記の特許文献１に、ＭＰＥＧ２−ＴＳ方式と非同期転送モード（ＡＴＭ）方式あるいは同期デジタルハイアラーキ（ＳＤＨ）方式とを用いてディジタル映像信号の多重・分離を行う構成が示されている。しかしながら、この装置は、ＭＰＥＧ２−ＴＳパケットをＡＴＭ方式またはＳＤＨ方式のペイロードに多重・分離するものであり、映像信号そのものの分配を行うものではない。  
【０００６】
【特許文献１】特開平１０−２０９９９４号公報。
【発明の開示】
【発明が解決しようとする課題】
【０００７】
以上述べたように、放送局等で使用される従来の映像分配装置では、通信系ハイアラーキの伝送フォーマットによる映像信号の波形整形が不可能であり、通信系ハイアラーキによる映像素材を取得しても、その分配に支障を来している。
本発明は上記の課題を解決するためになされたもので、映像信号のクロック抽出処理が既存の映像用フォーマットのみならず、通信系ハイアラーキの伝送フォーマットにも対応し、それぞれのフォーマットによる映像信号の波形整形を可能とする映像分配装置を提供することを目的とする。
【課題を解決するための手段】
【０００８】
上記の課題を解決するために、本発明に係る映像分配装置は、複数チャネルの映像信号を入力するための入力部と、前記入力部で入力される複数チャネルの映像信号を複数チャネルのうちの任意のチャネルに切り替える切替部と、前記切替部で切り替えられる各チャネルの映像信号をそれぞれチャネル毎に波形整形して出力する出力部とを具備し、前記出力部の各チャネル系列は、前記切替部から入力される映像信号を少なくとも２系統に分配する分配器と、前記分配器の一方の出力信号を入力して通信系フォーマットの映像信号であるか否かを検知し、通信系フォーマットのときは入力映像信号を波形整形して通信系映像信号として出力すると共に、この信号を選択させるためのロック信号を生成し、通信系フォーマットでないときは非ロック信号を生成する通信用再生器と、前記分配器の他方の出力信号と前記通信用再生器の出力信号とを取り込み、前記通信用再生器でロック信号が生成されているときは当該出力信号である通信系映像信号を選択出力し、非ロック信号が生成されているときは、前記分配器からの他方の出力信号を映像用フォーマットの映像信号として選択出力するセレクタと、前記ロック信号が生成されているときは、前記セレクタから出力される通信系映像信号をそのまま通過させ、前記非ロック信号が生成されているとき、前記セレクタから出力される映像用フォーマットの映像信号を波形整形して出力する映像用再生器とを備えることを特徴とする。
【０００９】
または、複数チャネルの映像信号を入力するための入力部と、前記入力部で入力される複数チャネルの映像信号を複数チャネルのうちの任意のチャネルに切り替える切替部と、前記切替部で切り替えられる各チャネルの映像信号をそれぞれチャネル毎に波形整形して出力する出力部とを具備し、前記出力部の各チャネル系列は、前記切替部から入力される映像信号を少なくとも２系統に分配する分配器と、前記分配器の一方の出力信号を入力して映像用フォーマットの映像信号であるか否かを検知し、映像用フォーマットのときは入力映像信号を波形整形して映像用フォーマットの映像信号として出力すると共に、この信号を選択させるためのロック信号を生成し、映像用フォーマットでないときは非ロック信号を生成する映像用再生器と、前記分配器の他方の出力信号と前記映像用再生器の出力信号とを取り込み、前記映像用再生器でロック信号が生成されているときは当該出力信号である映像用フォーマットの映像信号を選択出力し、非ロック信号が生成されているときは、前記分配器からの他方の出力信号を通信系映像信号として選択出力するセレクタと、前記ロック信号が生成されているときは、前記セレクタから出力される映像用フォーマットの映像信号をそのまま通過させ、前記非ロック信号が生成されているとき、前記セレクタから出力される通信系映像信号を波形整形して出力する通信系再生器とを備えることを特徴とする。
【発明の効果】
【００１０】
本発明によれば、映像信号のクロック抽出処理が既存の映像用フォーマットのみならず、通信系ハイアラーキの伝送フォーマットにも対応し、それぞれのフォーマットによる映像信号の波形整形を可能とする映像分配装置を提供することができる。
【発明を実施するための最良の形態】
【００１１】
以下、本発明の実施の形態を詳細に説明する。  
図１は本発明に係る映像分配装置の全体構成を示すブロック図である。図１において、入力部１１はＮチャネルの映像信号を入力するためのインターフェースであり、既存の映像用フォーマットの映像信号の他、通信系ハイアラーキによる伝送フォーマット（以下、通信系フォーマットと称する）の映像信号も入力可能とする。この入力部１１に入力された映像信号は切替部１２に送られ、制御部１３からの指示によってＮチャネルのうちから出力先が選択され、適宜切替出力される。切替部１２から出力されるＮチャネルの映像信号は出力部１４に送られる。この出力部１４は、チャネル毎に、入力映像信号からクロック信号を抽出し、そのクロック信号に基づいて波形整形を行って出力する。
【００１２】
上記出力部１４の１チャネルの構成を図２に示す。
図２において、切替部１２から送られてくる１チャネル映像信号は、そのフォーマットが映像用フォーマット、通信系フォーマットのどちらでもよい。
入力映像信号は、分配器１４１によって２系統に分配され、一方はセレクタ（ＳＥＬ）１４２に直接送られ、他方は通信用ＣＤＲ（Clock Data Recovery）１４３に送られる。通信用ＣＤＲ１４３は、入力映像信号が通信系フォーマットの映像信号であるか否かを判断する。このとき、通信系フォーマットのときはクロック信号を抽出して波形整形すると共に、セレクタ１４２にこの信号を選択させるロック信号を生成して出力する。また、通信系フォーマット以外のときは、セレクタ１４２にこの信号を選択させない非ロック信号を生成して出力する。
【００１３】
セレクタ１４２は、通信用ＣＤＲ１４３からの信号を受け取る際に、ロック／非ロック信号の生成状態を判定し、ロック信号が生成されている場合には、通信用ＣＤＲ１４３からの通信系フォーマットの映像信号を選択出力し、非ロック信号が生成されている場合には、分配器１４１から直接与えられる映像信号（通信系フォーマットではない）を選択出力する。セレクタ１４２で選択された映像信号は、映像用ＣＤＲ１４４に送られる。
【００１４】
上記通信用ＣＤＲ１４３で生成されるロック／非ロック信号は映像用ＣＤＲ１４４にも送られる。この映像用ＣＤＲ１４４は、ロック／非ロック信号から入力映像信号が通信系フォーマットか映像用フォーマットかを判別する。ここで、ロック信号が与えられるときは、入力映像信号が通信系フォーマットで既に波形整形されているので、そのままバイパス出力する。また、非ロック信号が与えられるときは、入力映像信号は映像用フォーマットであるため、入力信号からクロック信号を抽出して波形整形して出力する。
【００１５】
上記構成によれば、通信系フォーマット、映像用フォーマットのいずれにもクロック信号抽出が可能であり、最終的に波形整形して出力することができる。
図３は本発明に係る出力部１チャネルの他の実施形態の構成を示すブロック図である。図３に示す装置は、図２に示した通信用ＣＤＲ１４３と映像用ＣＤＲ１４４とを入れ替えて構成したものである。原理的には図２の場合と全く同様であり、分配器１４１の分配出力を受けた映像用ＣＤＲ１４４′側では、入力映像信号のフォーマットを判定する。その判定結果、映像用フォーマットならば波形整形して出力すると共に、ロック信号を生成してセレクタ１４２及び通信用ＣＤＲ１４３′に送る。映像用フォーマットでなければ、非ロック信号を生成してセレクタ１４２及び通信系ＣＤＲ１４３′に送る。
【００１６】
上記映像用ＣＤＲ１４４′でロック信号が生成されるとき、セレクタ１４２は映像用ＣＤＲ１４４′からの映像信号を選択し、通信用ＣＤＲ１４３′はセレクタ１４２からの映像信号をバイパスして出力する。また、上記映像用ＣＤＲ１４４′で非ロック信号が生成されるとき、セレクタ１４２は分配器１４１から直接入力される映像信号（通信系フォーマット）を選択し、通信用ＣＤＲ１４３′はセレクタ１４２からの映像信号が通信系フォーマットであると見なしてクロック信号を抽出し、波形整形して出力する。
【００１７】
以上のように、図３に示す構成の映像分配装置でも、通信系／映像用フォーマットのいずれにも対応可能で、それぞれの信号についてクロック信号を抽出し、波形整形して出力することができる。
したがって、上記構成による映像分配装置によれば、入力された映像信号が従来の映像用フォーマット、通信系ハイアラーキの伝送フォーマットのどちらでも波形整形を行うことができ、要求に応じてどちらのフォーマットの映像信号でも分配出力することが可能となる。
【図面の簡単な説明】
【００１８】
【図１】本発明が適用される映像分配装置の構成を示すブロック図。
【図２】本発明の一実施形態として、図１に示す映像分配装置の出力部１チャネルの構成を示すブロック図。
【図３】本発明の他の実施形態として、図１に示す映像分配装置の出力部１チャネルの他の構成を示すブロック図。
【符号の説明】
【００１９】
１１…入力部、１２…切替部、１３…制御部、１４…出力部、１４１…分配器、１４２…セレクタ（ＳＥＬ）、１４３，１４３′…通信用ＣＤＲ、１４４，１４４′…映像用ＣＤＲ。
【図１】
2005277465.tif 000003
【図２】
2005277465.tif 000004
【図３】
2005277465.tif 000005